(57)【特許請求の範囲】
【請求項１】
複数の網装置をラダー状に接続した中継網と、その何れかの網装置と接続し、情報の送受信を行う端末とから構成される通信網において、
通信サービスを、送信端末−受信端末間を、送信端末−網装置は規定されたインタフェース、網装置間はＡＴＭインタフェース、網装置−受信端末は規定されたインタフェースで其々パス設定後、接続することにより実現し、
受信端末に接続された網装置において前記ＡＴＭパスを分岐し、
その分岐網装置から、送信端末に接続された網装置までＡＴＭインタフェース、網装置−送信端末は規定されたインタフェースで予め、あるいはオンデマンドで其々パス設定して接続することで監視用パスを形成し、
上記ＡＴＭパスを分岐した網装置において上記通信サービスと同一のＡＴＭセルをコピーし、
そのコピーしたＡＴＭセルを上記監視用ＡＴＭパスに送出し、
上記送信端末において監視用ＡＴＭパスを通して戻った自送信情報を受信し正常性を確認することで、送信情報が受信端末まで正常に送信されたことを確認することを特徴とする情報監視サービス提供方法。
【請求項２】
複数の網装置をラダー状に接続した中継網と、その何れかの網装置と接続し、情報の送受信を行う端末とから構成される通信網において、
通信サービスを、送信端末−受信端末間を、送信端末−網装置は規定されたインタフェース、網装置間はＡＴＭインタフェース、網装置−受信端末は規定されたインタフェースで其々パス設定後、接続することにより実現し、
受信端末に接続された網装置において前記ＡＴＭパスを分岐し、
その分岐網装置から、情報監視サービス用端末に接続された網装置までＡＴＭインタフェース、網装置−情報監視サービス用端末は、上記網装置−受信端末間に規定されたインタフェースと同一のインタフェースで予め、あるいはオンデマンドで其々パス設定後接続することで監視用パスを形成し、
上記ＡＴＭパスを分岐した網装置において通信サービスと同一のＡＴＭセルをコピーし、
そのコピーしたＡＴＭセルを上記監視用ＡＴＭパスに送出し、
上記情報監視サービス用端末において上記送信端末の送信情報を受信し、その正常性を確認することで、その送信情報が上記受信端末まで正常に送信されたことを確認することを特徴とする情報監視サービス提供方法。
【請求項３】
複数の網装置をラダー状に接続した中継網と、その何れかの網装置と接続し、情報の送受信を行う端末とから構成される通信網において、
通信サービスを、送信端末−受信端末間を、送信端末−網装置は規定されたインタフェース、網装置間はＡＴＭインタフェース、網装置−受信端末は規定されたインタフェースで其々パス設定後、接続することにより実現し、
受信端末に接続された網装置において、網装置−受信端末の規定されたインタフェースにおいて該当パスを分岐し、
その分岐パスを、送信端末に接続された網装置までＡＴＭインタフェース、網装置−送信端末は規定されたインタフェースで予め、あるいはオンデマンドで其々パス設定後接続することで監視用パスを形成し、
上記パスを分岐した網装置において通信サービスと同一の信号をコピーし、
そのコピーした信号を上記監視用パスに送出し、
送信端末において上記監視用パスを通して戻った自送信情報を受信し正常性を確認することで、送信情報が受信端末まで正常に送信されたことを確認することを特徴とする情報監視サービス提供方法。
【請求項４】
複数の網装置をラダー状に接続した中継網と、その何れかの網装置と接続し、情報の送受信を行う端末とから構成される通信網において、
通信サービスを、送信端末−受信端末間を、送信端末−網装置は規定されたインタフェース、網装置間はＡＴＭインタフェース、網装置−受信端末は規定されたインタフェースで其々パス設定後、接続することにより実現し、
受信端末に接続された網装置において、網装置−受信端末の規定されたインタフェースにおいて該当パスを分岐し、
その分岐パスを、その分岐網装置から、情報監視サービス用端末に接続された網装置まではＡＴＭインタフェース、網装置−情報監視サービス用端末は、上記網装置−受信端末間に規定されたインタフェースと同一のインタフェースで予め、あるいはオンデマンドで其々パス設定後接続することで監視用パスを形成し、上記パスを分岐した網装置において通信サービスと同一の信号をコピーし、そのコピーした信号を上記監視用パスに送出し、
上記情報監視サービス用端末において、上記送信端末の送信情報を受信し、その正当性を確認することで、その送信情報が上記受信端末まで正常に送信されたことを確認することを特徴とする情報監視サービス提供方法。
【発明の詳細な説明】
【０００１】
【発明の属する技術分野】
この発明は、複数の網装置をラダー状に接続しＡＴＭセルを中継する中継網と、その何れかの網装置と接続し、情報の送受信を行う端末とからなる通信網におけるサービスおよび回線監視方法に係わり、特にそのための通信網パスを常時監視する通信パス設定法及びパス監視サービスに関する。
【０００２】
【従来の技術】
ＡＴＭ（非同期転送モード）網における通信網パスを常時監視する通信パス設定法及びパス監視サービスにおいては、ループバック機能（ＩＴＵ−Ｔ勧告Ｉ．６１０に記載）と品質監視制御機能（ＩＴＵ−Ｔ勧告Ｉ．６１０に記載）があった。
ＡＴＭセルを利用する伝送方法としては、例えば図５に示すように、複数の網装置１００がラダー状に接続された中継網（ＡＴＭ網）と、その何れかの網装置１００Ｔに接続された送信端末２００と、網装置１００Ｒに接続された受信端末３００とにより通信網が構成され、送信端末２００と網装置１００Ｔ間は規定されたインタフェースで受信端末３００と網装置１００Ｒ間は規定されたインタフェースで、網装置間はＡＴＭインタフェースによりそれぞれパスが設定されて、つまり送信端末２００と受信端末３００との間に通信パス（サービス中のパス）１０が設定されて通信が行われる。なお前記送信端末−網装置間、受信端末−網装置間の各規定されたインタフェースは例えば、ＳＴＭ（同期転送モード）、ＭＰＥＧ、ＩＰ（インターネットプロトコル）などのＡＴＭインタフェース以外のものである。
【０００３】
ループバック機能は、送信端末２００または送信端末が接続された網装置１００Ｔにおいてループバックインサート（挿入）点と、通信パス上のループバックを行いたい網装置１００又は受信端末３００においてループバックセルを対向パス２０に折り返すループバック点をそれぞれ設定した、ループバックセルを、一つ発生させ送信端末２００と受信端末３００間のユーザ信号に影響を与えないようにユーザセルの間に挿入してループバックインサート点に送出し、該ループバック点においてループバックセルを折り返し、ループバックドロップ点、つまり網装置１００Ｔ又は送信端末２００においてループバックセルを受信することにより、双方向パスの導通を確認する方式である。つまりループバック点（網装置１００又は受信端末）にループバックセルが到達すると、そのセル内のペイロードに書込まれている折返し点であることを判断して、その受信したループバックセルのヘッダをそのままコピーして、折返しパスに、応答用のループバックセルが挿入され、ループバック点に達するまでのパスと同一のパスを通って戻って来る。ループバックドロップ点にループバックセルが戻ったことから、通信パスの接続が正しいことが確認される。
【０００４】
品質監視制御機能は、図６に示すようにＡＴＭパスが通過または終端している二つの網装置、図６では終端している網装置１００Ｔと１００Ｒそれぞれにインサート点とドロップ点を設定し、設定した時間間隔毎に監視したいセルのヘッダを付けた品質監視セルを発生して、インサート点でユーザ信号に影響を与えないようにユーザセルの間に挿入し、ドロップ点において品質監視セルをドロップし（取出し）、ドロップした品質監視セルの内容、例えばビット誤り率を確認することで、インサート点とドロップ点との間の試験区間の伝送品質を確認する方式である。
【０００５】
【発明が解決しようとする課題】
この様に、従来の規格化されたループバック機能はＡＴＭパス上で一つのセルのみで導通のみを確認し、品質監視機能はＡＴＭレベルでの監視機能であり、端末と網装置間のインタフェースを含めたアプリケーションレベルでの品質確認はできなかったという問題があった。また、映像情報等をＡＴＭパスで転送した場合でも試験はＡＴＭパス上でのみ実行可能であり、ＡＴＭインタフェース以外のインタフェースでの監視はできなかったという問題があった。
【０００６】
この発明の目的は、サービス中の送信端末から受信端末に接続された網装置までアプリケーションレベルの監視を常時行い、受信端末と網装置がＡＴＭインタフェース以外のインタフェースで接続されている場合でも監視可能であり情報監視サービス用端末をサービス対象回線と独立に設置可能とする情報監視サービス提供方法を提供することにある。
【０００７】
【課題を解決するための手段】
この発明によれば、受信端末と接続される網装置において、接続インタフェースで分岐を行う手段を設け、その分岐網装置から情報監視用端末までの監視用パスを設定し、前記分岐網装置で通信サービスと同一の信号をコピーする手段を設け、コピーした信号を前記監視用パスに伝送し、情報監視用端末で受信して、送信端末と受信端末間の導通試験及び品質試験を等価的に行う。
【０００８】
【発明の実施の形態】
図１に情報監視用端末を送信端末とした場合のこの発明の実施例を示し、図５と対応する部分には同一記号を付けてある。いま送信端末２００と受信端末３００とがサービス中のパス１０で通信しているとする。この発明においては受信端末３００が接続された網装置１００Ｒにコピー分岐手段４００が設けられる。コピー分岐手段４００は受信端末３００への通信サービスのＡＴＭセルを取出す手段、そのＡＴＭセルをコピーする手段と、この網装置１００Ｒから、この場合の情報監視用端末としての送信端末２００への監視用パスを設定する手段と、そのコピーにより得られた二つのＡＴＭセルの一方を受信端末３００への通常の伝送処理を行い、他方を監視用パスに送出する手段とよりなる。
【０００９】
つまり網装置１００Ｒでは受信端末３００へ、これら間の規定されたインタフェースで伝送処理するためのＡＴＭセルはコピー手段により、例えば記憶手段に書込み、これを２度読出すことにより、２つの同一ＡＴＭセルとし、その一方のＡＴＭセルを受信端末３００への次の伝送処理に用いる。また前記２つの同一ＡＴＭセルの他方に対しては、着信アドレスを送信端末２００とするようにヘッダを変更し、つまり、網装置１００Ｒから送信端末３００が接続された網装置１００ＴまではＡＴＭインタフェースで、網装置１００Ｔと送信端末３００は規定されたインタフェースで監視用パス３０を設定する。
【００１０】
従って送信端末２００では、網装置１００Ｒから分岐されたＡＴＭセルにもとづく信号を自端末２００から送信した対応する信号と比較することにより、サービス中パス１０の導通状態を監視することができ、また必要に応じて通信品質を監視することもできる。
図２は情報監視サービス用端末５００を独立に設けた場合の実施例である。情報監視サービス用端末５００と、これが接続された網装置１００Ｍとの間のインタフェースは、受信端末３００と網装置１００Ｒ間の規定されたインタフェースと同一とする。網装置１００Ｒのコピー分岐手段４００では、図１中のコピー分岐手段４００とほぼ同様であるが、コピーにより得られた二つの同一ＡＴＭセル中の受信端末３００への伝送に用いない方のＡＴＭセルに対しては、そのヘッダを着信アドレスを情報監視サービス用端末５００とし、つまり網装置１００Ｒから網装置１００ＭまではＡＴＭインタフェースで、網装置１００Ｍ−情報監視サービス用端末５００間は受信端末３００−網装置１００Ｒ間に規定されたインタフェースと同一インタフェースで、網装置１００Ｒと情報監視サービス網５００間の監視用パス３０を設定する。
【００１１】
従って、情報監視サービス用端末５００では、受信した信号の正常性を確認することにより、送信端末２００と受信端末３００間の通信サービス、つまり網装置と端末間のアプリケーションレベルでの状態を含めて、送信情報が受信端末２００にまで正常に送信されたことを確認することができる。
上述では受信端末３００が接続された網装置１００Ｒは図３に示すように受信端末３００とのインタフェース部６００と、他の網装置１００とのインタフェースを行うＡＴＭ−ＳＷ部７００とからなる。受信端末３００に対するＡＴＭセルのコピー、監視パス設定、ＡＴＭ−ＳＷ部７００への送信は、インタフェース部６００に入力されるＡＴＭセルに対し、コピー分岐手段で行えばよい。
【００１２】
受信端末３００への信号のコピー分岐、情報監視サービス用端末５００への送信は、インタフェース部６００で、ＡＴＭセルを、受信端末３００とのインタフェースの信号に変換した状態で、コピーして、二つの同一信号を作り、その一方を受信端末３００へ送信すると共に他方を、この網装置１００Ｒに、受信端末３００−網装置１００Ｒ間のインタフェースと同一インタフェースで接続された情報監視サービス用端末５００へ送信してもよい。あるいはコピーした受信端末３００へのインタフェースの信号を、情報監視サービス用端末５００（又は送信端末２００）向けのＡＴＭセルを作り、ＡＴＭ−ＳＷ部７００へ送ってもよい。このように受信端末３００向けのインタフェースの信号に変換した後コピーして監視用パス３０へ送出する場合は、送信端末２００で自送信情報を受信してその正常性を確認することにより、送信情報が受信端末３００まで正常に送信されたことを確認できる。あるいは情報監視サービス用端末５００で監視用パス３０よりの信号を監視することにより、受信端末３００へのインタフェースを含め、送信端末２００から送信された信号の正常性を監視することができる。
【００１３】
なお網装置１００Ｒにおけるコピー分岐手段４００の具体例を図４に示す。図４Ａにおいてはインタフェース部６００内で受信端末３００への信号をコピー及び分岐部４０１でコピーすると共にその一方を分岐して、ヘッダ変換部４０２でセルとし、着信先が情報監視サービス用端末５００となるようにヘッダ情報を変更し、送信待ち合わせを行い、送信時期になると多重化部４０３で、セル系列中に挿入されてＡＴＭ−ＳＷ部７００へ送られる。
【００１４】
図４Ｂはコピー分岐手段４００をインタフェース部６００の受信端末３００側に設けた場合であり、この場合は、インタフェース部６００より受信端末３００側に出力された信号が２分岐されてその一方が受信端末３００へ供給され、他方はインタフェース部６００に折り返される。
図４ＣはＡＴＭ−ＳＷ部７００において、このＳＷ部のコピー機能を利用して折り返すようにした場合である。
【００１５】
また監視パス３０の設定方法としては、ＰＶＣ（パーマネントバーチャルコネクション）やＳＶＣ（スイッチドバーチャルサーキット）などパスの設定形態を問わない。監視パス３０のトラヒックについては、他サービス中のパスに影響を与えないようにシェーピング等のトラヒック制御が実施される。
【００１６】
【発明の効果】
以上述べたように、この発明によれば、サービスのアプリケーションレベルを含めて常時監視することができ、監視する範囲は送信端末に接続された網装置から受信端末に接続された網装置まで網サービス提供範囲全ての間で行い、監視するインタフェースもＡＴＭインタフェース及びＳＴＭ、ＭＰＥＧやＩＰ等ＡＴＭインタフェース以外においても可能であり、監視する端末が特別に定義されている場合は、監視パスを情報監視サービス用端末まで設定することで常時、かつ端末−端末間の監視サービスを行うことができる。
【図面の簡単な説明】
【図１】送信端末と情報監視サービス用端末とした場合のこの発明の実施例を示す図。
【図２】情報監視サービス用端末を独立に設けた場合のこの発明の実施例を示す図。
【図３】網装置と受信端末がＡＴＭインタフェース以外のインタフェースで接続されている場合のこの発明の実施例の一部を示す図。
【図４】コピー分岐手段４００の具体例を示す図。
【図５】従来のループバック機能を示す図。
【図６】従来の品質監視機能を示す図。
【図１】
0004373574.tif 000002
【図２】
0004373574.tif 000003
【図３】
0004373574.tif 000004
【図４】
0004373574.tif 000005
【図５】
0004373574.tif 000006
【図６】
0004373574.tif 000007